(57)【特許請求の範囲】
【請求項１】
全体的に閉された第１一端部の裏面部より、外部に対して開口された第１他端部の裏面部まで中空状態を保ちつつ延在する、全体的に合成樹脂より成る、試験管形状の第１本体部と、
全体的に閉された第２一端部の裏面部より、外部に対して開口された第２他端部の裏面部まで中空状態を保ちつつ延在する、全体的に前記合成樹脂より成る、試験管形状の第２本体部と、
前記第１本体部の前記第１他端部より前記第１本体部の中空状態の空間内に調整可能に嵌合される第１結合部と、前記第１結合部と合体しており且つ前記第２本体部の前記第２他端部より前記第２本体部の中空状態の空間内に調整可能に嵌合される第２結合部とを備える、全体的に合成樹脂より成る結合体部と、
前記第１本体部の前記第１一端部の前記裏面部に当接しつつ前記第１本体部の前記中空状態空間内の先端側部内に挿入されている、少なくとも一つの第１磁石と、
前記第２本体部の前記第２一端部の前記裏面部に当接しつつ前記第２本体部の前記中空状態空間内の先端側部内に挿入されている、少なくとも一つの第２磁石と
を備える包茎矯正器具であって、
前記第１本体部の前記先端側部に繋がる前記第１本体部の開口側部の延在方向の長さは切除により調整可能であり、
前記第２本体部の前記先端側部に繋がる前記第２本体部の開口側部の延在方向の長さは切除により調整可能であり、
前記包茎矯正器具の使用時に於いては、前記第１磁石及び前記第２磁石は、少なくとも前記第１本体部の前記第１一端部及び前記第２本体部の前記第２一端部を介して、結合される
ことを特徴とする、包茎矯正器具。
【請求項２】
請求項１に記載の包茎矯正器具であって、
前記第１本体部の前記先端側部は前記第１本体部の前記開口側部よりも硬く、
前記第２本体部の前記先端側部は前記第２本体部の前記開口側部よりも硬い
ことを特徴とする、包茎矯正器具。
【請求項３】
請求項２に記載の包茎矯正器具であって、
前記第１本体部の前記開口側部内に間隔を空けて配設された、前記合成樹脂より成る複数の第１切片部と、
前記第２本体部の前記開口側部内に間隔を空けて配設された、前記合成樹脂より成る複数の第２切片部と
を更に備えることを特徴とする、包茎矯正器具。
【請求項４】
請求項３に記載の包茎矯正器具であって、
前記第１本体部及び前記第２本体部は共にその内部が視認可能な透明色を有しており、
前記複数の第１切片部の各々及び前記複数の第２切片部の各々は、前記第１本体部及び前記第２本体部の前記透明色とは同一色又は異なる色の何れか一方の色を有する
ことを特徴とする、包茎矯正器具。
【請求項５】
請求項４に記載の包茎矯正器具であって、
前記第１磁石及び前記第２磁石の形状は、共に球形である
ことを特徴とする、包茎矯正器具。
【請求項６】
請求項５に記載の包茎矯正器具であって、
前記第１本体部及び前記第２本体部の前記合成樹脂の表面は、当該表面への指触り感として、サラサラ感又はツルツル感の何れか一方が生じる様に加工されている
ことを特徴とする、包茎矯正器具。
【請求項７】
請求項６に記載の包茎矯正器具であって、
前記結合体部の前記第１結合部及び前記第２結合部は、正面視に於いて、Ｖ字型を成す様に結合されている
ことを特徴とする、包茎矯正器具。
【請求項８】
請求項１乃至７の何れか一つに記載の包茎矯正器具であって、
前記包茎矯正器具の使用時に於いては、
前記第１磁石及び前記第２磁石は、前記第１一端部と前記第２一端部との間に介在される常磁性体部又は別の磁石の何れかを介して、結合される
ことを特徴とする、包茎矯正器具。
【請求項９】
請求項１に記載の前記包茎矯正器具に於いて、
前記第１磁石は第１常磁性体に置換され、
前記第２磁石は第２常磁性体に置換され、
前記第１常磁性体及び前記第２常磁性体は、前記第１一端部と前記第２一端部との間に介在される磁石を介して、結合される
ことを特徴とする、包茎矯正器具。
【発明の詳細な説明】
【技術分野】
【０００１】
この発明は、いわゆる「仮性包茎」に対する包茎矯正器具の構成に関する。
【背景技術】
【０００２】
従来、２種類のリング口径値により形成された昼用タイプと夜用タイプとを選択可能な、合成樹脂から成るリング状の仮性包茎の矯正器具（密閉型）が、販売されている。この包茎矯正リングの一部は切除されて隙間を成しており、当該被切除部分を下側に配置して、当該リングを男性器に嵌め込んで着用し続けることで、当該包茎矯正リングは、当該リングからの尿道への圧迫力を下方の隙間に逃がしつつ、仮性包茎を矯正する機能を呈する。しかしながら、そのサイズは２種類しかないため、男性器のサイズの個人毎による相違或いは勃起又は運動等による男性器の伸縮度合いの相違により、リングの微妙な口径調整が出来ないため、常時着用状態を実現することが容易ではなく、引いては、当該包茎矯正リングが落下してしまうと言う難点がある。
【０００３】
そこで、寸法の調整機能を備えた包茎矯正器具も、開発・販売されている。この包茎矯正器具は、正面視に於いて逆Ｕ字形状を成す中空構造のチューブである。そして、当該チューブの一端部には、シリコーンのゴム糸の一端部を固定する一方の端子が嵌め込まれており、当該チューブの他端部には、上記ゴム糸を２箇所の穴に通して巻き付けて当該ゴム糸の長さを調整するための部分を備えた他方の端子が嵌め込まれている。このゴム糸の巻き付け寸法等により、チューブ両端部間の隙間の長さは、調整可能とされる。
【先行技術文献】
【特許文献】
【０００４】
【特許文献１】特開２００４−１７４１９５号公報
【特許文献２】特開２００４−０９７７３１号公報
【特許文献３】特開２００６−１８８５６８号公報
【特許文献４】特開２００７−１４４０８８号公報
【特許文献５】特開２０１１−１６０９０２号公報
【発明の概要】
【発明が解決しようとする課題】
【０００５】
上記のシリコーンのゴム糸を付加したチューブ型の包茎矯正器具の当該チューブの中央部には、Ｕ字型の湾曲形状を保持することで落下防止及び尿道保護を図るために、ホールドバネが嵌め込まれている。しかし、このホールドバネのチューブ中央部の中空部分への挿入により、返って、チューブの内面の湾曲形状は円形状とは程遠い異なった形状となり、その包茎矯正器具の形状は、正面視において略楕円状に湾曲しつつ上下に伸びた形状となっている。そのため、当該器具を男性器に装着した状態に於いては、実質的には、当該器具の内面と男性器の亀頭の表面部とが２点で接触した状態となり、この２点接触状態を介して、当該器具の装着状態は保持されている。
【０００６】
従って、当該器具を装着しつつ、身体をしゃがませた状態のとき又は運動を行っているときに男性器が自然に縮んでしまう場合には、上記の２点接触だけでは当該器具の装着保持を保てなくなり、当該器具が外れて落下してしまう場合が、やはり発生する。
【０００７】
しかも、男性器の通常時の状態の場合でもゴム糸が亀頭部に常に接触した状態であり、特に男性器の勃起状態においてはシリコーンのゴム糸が亀頭部に食い込む状態となるので、当該器具の装着者は常に違和感を覚えるという難点が生じる。
【０００８】
ましてや、細いシリコーンのゴム糸が、当該器具の装着時に、着用回数の増大に起因したゴム糸自体の耐久性の劣化から切れてしまう場合には、当該器具が落下してしまい、当該器具を失ってしまうことにも成る。
【０００９】
加えて、当該改良型の器具のみならず、背景技術の欄に於いて記載したリング状の包茎矯正器具においても、ファッション性の観点から見た場合には、陰湿的な感じがするので、見劣りがすることは拭えない。即ち、従来の包茎矯正器具に於いては、包茎矯正器具を装着しながら、そのファッション性をも、内心に於いて楽しむという、遊び心が溢れた観点が、欠けているとも、指摘することが可能である。
【００１０】
この発明は、上記に記載した種々の問題点を一挙に解決可能な仮性包茎矯正器具を提案することにある。即ち、本発明の主たる目的は、包茎矯正器具を着用しているという感覚を装着者に覚えさせずに装着性を向上させつつ、男性器の伸縮動作に対しても落下することなく常時に男性器に包茎矯正器具を装着させ得ると共に、当該器具の寸法を細かいレベルで調整が可能であって且つ当該器具の着脱が極めて容易・簡単である包茎矯正器具を実現する点にある。加えて、本発明は、包茎矯正器具の見た目のファッション性を飛躍的に高めて、この種の器具に対するイメージを一新させ得る包茎矯正器具をも実現する点を、その副次的目的とする。
【課題を解決するための手段】
【００１１】
本発明の主題に係る包茎矯正器具は、全体的に閉された第１一端部の裏面部より、外部に対して開口された第１他端部の裏面部まで中空状態を保ちつつ延在する、全体的に合成樹脂より成る、試験管形状の第１本体部と、全体的に閉された第２一端部の裏面部より、外部に対して開口された第２他端部の裏面部まで中空状態を保ちつつ延在する、全体的に前記合成樹脂より成る、試験管形状の第２本体部と、前記第１本体部の前記第１他端部より前記第１本体部の中空状態の空間内に調整可能に嵌合される第１結合部と、前記第１結合部と合体しており且つ前記第２本体部の前記第２他端部より前記第２本体部の中空状態の空間内に調整可能に嵌合される第２結合部とを備える、全体的に合成樹脂より成る結合体部と、前記第１本体部の前記第１一端部の前記裏面部に当接しつつ前記第１本体部の前記中空状態空間内の先端側部内に挿入されている、少なくとも一つの第１磁石と、前記第２本体部の前記第２一端部の前記裏面部に当接しつつ前記第２本体部の前記中空状態空間内の先端側部内に挿入されている、少なくとも一つの第２磁石とを備え、前記第１本体部の前記先端側部に繋がる前記第１本体部の開口側部の延在方向の長さは切除により調整可能であり、前記第２本体部の前記先端側部に繋がる前記第２本体部の開口側部の延在方向の長さは切除により調整可能であり、前記包茎矯正器具の使用時に於いては、前記第１磁石及び前記第２磁石は、少なくとも前記第１本体部の前記第１一端部及び前記第２本体部の前記第２一端部を介して、結合されることを特徴とする。
【発明の効果】
【００１２】
本発明の主題に係る包茎矯正器具によれば、１）当該包茎矯正器具の使用開始前の段階に於いて、男性器の、主として収縮時の寸法に基づいて当該器具全体の装着時の長さを、第１本体部の開口側部の長さの調整及び第２本体部の開口側部の長さの調整並びに結合体部の挿入長さを通じて自在に（簡単に）調整することが出来る。
【００１３】
また、男性器が収縮状態から通常の状態の寸法に伸長・復帰した場合又は勃起等によって伸縮した場合に於いても、合成樹脂から成る本包茎矯正器具は、当該器具本体自体に、収縮性があり、ある程度は追従可能であるにもかかわらず、当該伸縮が本体収縮範囲を超えた場合は、当該器具の磁石接合部が自動的に離れ、痛みを一切伴わず接続が解除される特徴を持っている。
【００１４】
しかも、本発明の主題に係る包茎矯正器具によれば、２）第１磁石と第２磁石との磁力によるワンタッチの結合動作のみによって当該包茎矯正器具を男性器に対して容易に装着又は離脱させることが出来る。
【００１５】
加えて、本発明の主題に係る包茎矯正器具によれば、３）第１及び第２磁石が共に合成樹脂より完全に被覆されているので、各磁石が直接に男性器の亀頭等の皮膚に触れることはなくて亀頭等の皮膚を痛めることは無く、装着者にとっては、当該器具の装着による違和感を、極力感じないように配慮されている。
【００１６】
以下、本発明の様々な具体化を、添付図面を基に、その効果・利点と共に、詳述する。
【図面の簡単な説明】
【００１７】
【図１】本発明の実施の形態１に係る包茎矯正器具の第１本体部及び第２本体部の合成樹脂部分を示す斜視図である。
【図２】本発明の実施の形態１に係る包茎矯正器具の第１本体部及び第２本体部の各々が包茎矯正器具として使用される際の、各本体部の内部構成を示す正面図である。
【図３】本発明の実施の形態１に係る包茎矯正器具の結合体部の構成を示す正面図である。
【図４】本発明の実施の形態１に係る包茎矯正器具の構成を模式的に示す正面図である。
【図５】本発明の実施の形態１に係る包茎矯正器具の変形例の構成の特徴部を模式的に示す正面図である。
【図６】本発明の実施の形態１に係る包茎矯正器具の他の変形例の構成の特徴部を模式的に示す正面図である。
【発明を実施するための形態】
【００１８】
（実施の形態１）
【００１９】
図１は、本実施の形態に係る包茎矯正器具に用いられる第１本体部１及び第２本体部２の合成樹脂部分を示す斜視図であり、後述する永久磁石及び合成樹脂より成る切片部がその内部に挿入乃至は嵌合される前の状態にある両本体部１，２の形状を模式的に示している。
【００２０】
図１に例示される様に、第１本体部１は、全体的に「合成樹脂」より成り（１００％合成樹脂）、試験管形状のチューブ構造を備えている。ここで、「合成樹脂」としては、例えば、シリコーンが好適な原材料として採用される。シリコーンより成る「合成樹脂」は、相対的に柔らかくて湾曲し易い素材であり、且つ、局所的に臨機応変にその硬さを調整し得る材料である。しかも、シリコーンと身体の肌との相性（肌合い）は、同じ合成樹脂であるプラスチック等と比較しても良いと、言える。そして、本例では、第１本体部１は、全体的に亘って、その中空状の構造内部が外部より透き通って見える程度の透明度を有する白色の色彩を有する部分である。尚、第１本体部１自体の色彩に関しては、全体的に亘って、その他の透明な色彩、又は、上記中空状構造の内部が外部から見えない不透明な様々な色彩が、採用されていても良い。
【００２１】
上記の通り、第１本体部１は、試験管と同等の形状を有する。従って、その表面が略半球面状を成す同部１の底部乃至は第１の一端部ＳＴ１は、外部に対して、全体的に閉された状態にある。そして、一端部ＳＴ１の裏面部ＳＴＢ１は、一端部ＳＴ１の凸状の表面と対応して、略半球面状の凹面を成す。更に、第１本体部１は、その裏面部ＳＴＢ１より、外部に対して開口された第１の他端部Ｅ１の裏面部ＥＩ１まで、中空状態を保ちつつ延在している。その他端部Ｅ１の、円形状の縦断面を成す裏面部ＥＩ１は、直径ＲＡを有する。
【００２２】
同様に、第２本体部２も、全体的に「合成樹脂」より成り（１００％合成樹脂）、試験管形状のチューブ構造を備えている。ここで、「合成樹脂」としては、同じく、シリコーンが好適な原材料として採用される。そして、本例では、第２本体部２は、第１本体部１の色彩と同じく、全体的に、その中空状の構造内部が外部より透き通って見える程度の透明度を有する白色の色彩を備える部分である。尚、第１本体部１と同様に、第２本体部２自体の色彩に関しても、全体的に亘って、その他の透明な色彩、又は、上記中空状構造の内部が外部から見えない不透明な様々な色彩が、採用されていても良い。
【００２３】
上記の通り、第２本体部２は、試験管と同等の形状を有する。従って、その表面が略半球面状を成す同部２の底部乃至は第１の一端部ＳＴ２は、外部に対して、全体的に閉された状態にある。そして、一端部ＳＴ２の裏面部ＳＴＢ２は、一端部ＳＴ２の凸状の表面に対応して、略半球面状の凹面を成す。更に、第２本体部２は、その裏面部ＳＴＢ２より、外部に対して開口された第２の他端部Ｅ２の裏面部ＥＩ２まで、中空状態を保ちつつ延在している。本例では、好ましい実施の形態として、その他端部Ｅ２の、円形状の縦断面を成す裏面部ＥＩ２は、直径ＲＡと同一又は略同一の直径ＲＢを有する。尚、直径ＲＡと直径ＲＢのサイズが相違していても良い。
【００２４】
図２は、本実施の形態に係る包茎矯正器具の第１本体部１及び第２本体部２の各々が本包茎矯正器具として使用される際の、正面視に於いて、各本体部１，２の外部から見て透けて見える内部構成を示す正面図である。即ち、図２の構成は、第１本体部１及び第２本体部２に共通する内部構成を示している。
【００２５】
図２の本例より理解される通り、少なくとも一つの永久磁石（以下「第１磁石」と言う。）ＭＡ１が、第１本体部１の第１の一端部ＳＴ１の裏面部ＳＴＢ１の凹面に全面的に当接しつつ第１本体部１の中空状態空間内の先端側部Ａ１内に挿入されている。本例に於いては、磁力を強める観点から、２つの第１磁石ＭＡ１，ＭＢ１が、相互の磁力により連続的に繋がった態様にて、採用されている。勿論、第１磁石の数を３個以上としても良い。又、一端部ＳＴ１の裏面部ＳＴＢ１の凹面に全体的に当接し易い面形状を備えるものとして、球形状の第１磁石ＭＡ１が採用されている。そして、この第１磁石ＭＡ１の球形状に対応して、その背後の第２番目の第１磁石ＭＢ１の形状も、領域Ａ１内にまで中空状空間内に挿入し易さの観点も含んで、球形状とされている。本例では、第１磁石ＭＡ１，ＭＢ１の永久磁石としての好ましい素材として、単体としては一番強力な磁力を呈する「ネオジウム」が採用されている。一例ではあるが、第１磁石ＭＡ１の断面形状の直径値は、φ６ｍｍであり、それに引き続いて配設されている第１磁石ＭＢ１の断面形状の直径値は、φ５ｍｍである。これらの第１磁石ＭＡ１，ＭＢ１が第１本体部１の先端側部Ａ１内に挿入ないしは嵌合されているので、先端側部Ａ１の表面は凹凸状ないしは波打形状を成している。
【００２６】
ここで、特筆すべき点として、シリコーンにより全体的に構成される第１本体部１の各領域Ａ１，Ａ２の内で、先端側部Ａ１は、その他の領域に該当する第１本体部１の開口側部Ａ２（Ａ３．Ａ４）の硬さよりも、より硬く成る様に調整されて形成されている。この点は、包茎矯正器具としての実使用状態に於いて、繰り返しの使用により、第１本体部１の先端側部Ａ１が破れる等の損失を受けることによって、その内部の第１磁石ＭＡ１が飛び出してしまうことを防止するためである。斯かる観点から、実際の第１本体部１の先端側部Ａ１の強度が設定されている。
【００２７】
更に、第１本体部１の表面ＡＳは、全体的に、又は、部分的に、例えばシボ加工処理を施されている。この場合には、表面ＡＳに対する指触り感覚の表現としては「サラサラ」であり、第１本体部１の表面ＡＳの男性器の肌に対する張り付き感は比較的に少なく、本器具の装着者は、適度な密着感を感じ得る。従って、上記のシボ加工処理が成された第１本体部１及び後述の第２本体部２を用いた包茎矯正器具は、より長時間の装着向けに適している。或いは、第１本体部１の表面ＡＳは、全体的に、又は、部分的に、例えば光沢加工を施されていても良い。この場合には、表面ＡＳに対する指触り感覚の表現としては「ツルツル」であり、第１本体部１の表面ＡＳの男性器の肌に対する密着性がより一層増す。従って、上記の光沢加工が成された第１本体部１後述の第２本体部２を用いた包茎矯正器具は、より滑り難い仕様に設定されている。そして、第１本体部１と第２本体部２とに対して上記のシボ加工処理が成された場合又は上記の光沢加工処理が成された場合の何れに於いても、その様な第１本体部１と第２本体部２とを用いて構成される後述の包茎矯正器具は、それが男性器に装着された場合において、当該第１本体部１及び第２本体部２自体が回転する様な横滑り状態の発生を、及び、亀頭先端部に向けた縦方向のズレ移動をもたらす縦滑り状態の発生を、防止し得る。即ち、包茎矯正器具は、男性器に対して位置的に安定した状態で配設される。
【００２８】
又、図２より例示される様に、第１本体部１の内で、先端側部Ａ１に引き続く開口側部Ａ２の一部を成す略中央領域部分Ａ３の中空構造部内には、適宜の間隔を空けて、全体的にシリコーン（合成樹脂）より成る複数の第１切片部Ｐ１が挿入・配設されている。図２の例では、３個の第１切片部Ｐ１が、第１本体部１の中空構造部内に挿入・配設されている。隣り合う第１切片部Ｐ１同士の間隔は、任意の値である。図２では、表示の便宜上、各第１切片部Ｐ１にハッチングが施されている。本例では、各第１切片部Ｐ１は、シリコーンを刻むことで形成されており、例えば、φ４ｍｍ弱の円柱形状を成している。各第１切片部Ｐ１の形状は、任意である。第１本体部１はシリコーンより成り、その中空構造部に挿入・配設される各第１切片部Ｐ１もシリコーンより成るので、この様にシリコーンとシリコーンとが互いに接触して配設される場合に於いては、その間で生じる摩擦力が大となり、両シリコーン部分の結合は異物同士の接触結合よりもより強固となる結果、各第１切片部Ｐ１が第１本体部１の中空構造部より抜け落ちることは無い。
【００２９】
これらの第１切片部Ｐ１を挿入・配置する理由は、次の観点に基づく。即ち、第１本体部１を成すシリコーン（シリコン樹脂）はプラスチック等の他の合成樹脂と比較して非常に柔らかいので、第１本体部１の開口側部Ａ２に少しでも力を印可すると、当該開口側部Ａ２は即座に折れ曲がってしまう。その様な構成のままでは、第１本体部１を第２本体部２と共に包茎矯正器具の主たる構成要素として用いた際に、第１本体部１の開口側部Ａ２は、男性器の伸縮動作に応じて円形状に滑らかに湾曲することが出来ない。第１本体部１の開口側部Ａ２の中空構造部内に従来技術の様にバネ等の硬い部材を配設してしまうと、開口側部Ａ２が延びてしまい、第１本体部１の内面と亀頭の表面との面接触が得られない。斯かる問題認識を踏まえて、本願発明者らは、第１本体部１自体と同じシリコーン部材からなる複数個の第１切片部Ｐ１を、開口側部Ａ２の中空構造部内に、適宜の間隔を設けて、挿入・配設する構成を採用している。これらの第１切片部Ｐ１は、第１本体部１の表面ＡＳの外部から力を受けても、しなやかに湾曲して、開口側部Ａ２の折れ曲がり状態又は延びてしまう状態の発生を確実に抑止し、開口側部Ａ２の内面は、略円形状を保持しつつ、亀頭表面との面接触状態を保持する。
【００３０】
又、男性器用器具の分野としては新たな視点と言えるが、本例の各第１切片部Ｐ１は、その内部が透けて見える程度の透明な第１本体部１自体が有する色彩とは異なる色彩を有する様に、着色されていても良い。例えば、各第１切片部Ｐ１の色彩は、白色、青色、水色、或いは、黄緑色等、様々の色の色彩である。この様に、実使用時に於いては、略リング状に配設される各第１切片部Ｐ１が透き通って外部から視認される状態にあるので、各第１切片部Ｐ１が際立って目立つ結果、装着自身の自己満足の範囲内ではあるけれども、実使用時に於ける包茎矯正器具の見た目の良さ乃至はファッション性は格段に向上する。装着者は、通常の生活においては装着状態の本器具を視覚により認識し得るので、そのファッション性を内面的に楽しみながら、仮性包茎の矯正を継続して行うことが出来る。とかく、男性器用器具はマイナーなイメージを伴いがちであるが、本例の第１本体部１及び後述する第２本体部２よりなる包茎矯正器具に至っては、その見た目より受けるイメージは大幅に改善される。「そのファッション性を楽しんでもらう。」という遊び心が溢れた包茎矯正器具が、技術的に実現される。勿論、各第１切片部Ｐ１の色彩を個々に異ならせても良い。
【００３１】
尚、スポーツを行う場合に包茎矯正器具を装着する場合には、装着者が運動中に当該器具を視認することは少ないと思われるので、その意味で包茎矯正器具の色彩を通じたファッション性という価値は大きいとも言えない。この様なスポーツ用としての専属的な包茎矯正器具に対しては、第１本体部１及び第２本体部２の色彩を不透明なカラーとすることも可能である。
【００３２】
当然の事ながら、男性の、通常の日常生活（いわゆる朝立ち等）に於いても、或いは、スポーツを行う場合においても、男性器は伸縮運動を頻繁に行うので、包茎矯正器具が男性器自体から抜け落ちない様にするためにも、又、男性器の寸法又は勃起の程度も個人差があるため、包茎矯正器具は、必然的に、その寸法調整可能な構成を備えなければならない。図２に示される第１本体部１に於いては、その中空構造部中に物が一切存在しない開口側部Ａ２の他端面部Ａ４の長さ寸法は、包茎矯正器具の組立・装着前に、予めシリコーンの端部を切断することで、調整可能である。この場合には、後述する第２本体部２の他端面部Ａ４の長さ寸法の調整と併せて、第１本体部１側の他端面部Ａ４の長さ寸法が、調整される。即ち、本器具に於いては、予め、個人差を考慮して、各個人の男性器が縮まった状態での各長さに応じて、シリコーンの部分を切断して調整する長さ寸法が例示されている説明書なる対応表が附属されている。この対応表を参照しながら、使用者は、自己の男性器の各使用環境下でその状態に適した寸法に、第１及び第２本体部１，２の各他端面部Ａ４の長さを、シリコーンの切断により、調整する。この様なシリコーンの切断は、シリコーンの特質からして、微細な切断調整を可能にするので、その調整範囲は、ｍｍ〜μｍの単位での調整範囲を可能とする。
【００３３】
図１に示される第２本体部２の内部構成も、基本的に、図２に示される第１本体部１と同等であり、第１磁石ＭＡ１，ＭＢ１は第２磁石ＭＡ２，ＭＢ２に対応し、第１切片部Ｐ１は第２切片部Ｐ２に対応する。従って、本願発明者らは、第２本体部２の内部構成の記載に於いては、既述した第１本体部１の内部構成の各記載をそのまま援用することとして、その記載を割愛する。
【００３４】
図３は、包茎矯正器具の結合体部３の構成を示す正面図である。結合体部３は、第１本体部１の第１他端面部Ａ４と、第２本体部２の第２他端面部Ａ４とを互いに連結させるために介在する構成要素である。即ち、結合体部３は、結合体としての強度を保持するために、正面視に於いて略Ｖ字型構成（Ｖジョイント構成）を成しており、第１結合部３Ａ及び第２結合部３Ｂより成る。第１結合部３Ａは、第１本体部１の第１他端面部Ａ４の開口ＯＨより第１本体部１の中空状態の空間内に調整可能に嵌合される。第１結合部３Ａの全体を第１本体部１の中空状態の空間内に嵌め込んだ場合には、その全長３ＬＡが被嵌合長さとなる。この第１結合部３Ａの嵌め込みの長さに応じて、本包茎矯正器具の長さを微調整することが出来る。同じく、第２結合部３Ｂは、Ｖ字型で交差する様に第１結合部３Ａと合体しており且つ第２本体部２の第２他端面部Ａ４の開口ＯＨより第２本体部２の中空状態の空間内に調整可能に嵌合される。そして、第２結合部３Ｂの全体を第２本体部２の中空状態の空間内に嵌め込んだ場合には、その全長３ＬＢが被嵌合長さとなる。この第２結合部３Ｂの嵌め込みの長さに応じて、本包茎矯正器具の長さを同様に微調整することが出来る。
【００３５】
図３の結合体部３は、本例では、１）その結合体としての強度を高める観点から、その内部が透明なプラスチックより成る本体部と、２）滑り止め防止用の観点から上記本体部の表面上をコーティングするシリコーンとから、成る。勿論、その他の構成例として、結合体部３の上記本体部は、カラー色のプラスチックより構成されていても良い。又、結合体部３は、第１及び第２本体部１，２とは硬度が相違するシリコーンのみから作成されていても良い。
【００３６】
図４は、本実施の形態に係る包茎矯正器具１００の構成を模式的に示す正面図である。尚、図４では、男性の性器自体の図示化は省略されている。
【００３７】
又、図４の本例では、結合体部３の第１結合部３Ａ及び第２結合部３Ｂの両方ともが、寸法３ＬＡ，３ＬＢ分まで、対応する第１本体部１及び第２本体部２の第１他端面部Ａ４及び第２他端面部Ａ４の開口ＯＨまで嵌合されている。既述の通り、結合体部３の第１結合部３Ａ及び第２結合部３Ｂの挿入長さは、調整可能（微調整）である。
【００３８】
図４より理解される通り、第１本体部１の第１の一端部ＳＴ１の表面は、第１磁石ＭＡ１の球形状によって、シリコーンの滑らかな半球面を成している。同様に、第２本体部２の第２の一端部ＳＴ２の表面も、第２磁石ＭＡ２の球形状によって、シリコーンの滑らかな半球面を成している。そして、既述した調整方法に基づいて長さ調整済みの第１本体部１の表面ＡＳの内側面と、同じく既述した調整方法に基づいて長さ調整済みの第２本体部２の表面ＡＳの内側面とを、包茎矯正すべき男性器の本体に面接触させつつ、第１の一端部ＳＴ１の対向表面と、第２の一端部ＳＴ２の対向表面とを接近させるだけで、磁力の作用により、極めて単純に、図４に示す包茎矯正器具１００が男性器の肌に装着される。尚、装着時に作用する磁力は、各一端部ＳＴ１，ＳＴ２による第１及び第２磁石ＭＡ１，ＭＡ２の被覆によって、微妙に減少されている。逆に、包茎矯正器具１００を男性器から離脱させる場合には、両手の指で、互いに接合している一端部ＳＴ１，ＳＴ２を引き離す作業のみを行えば事足りる。この様に、包茎矯正器具１００の男性器に対する着脱の作業は、即座にその作業が完了するので、極めて簡単であり、且つ、誰でも確実に行える作業でもある。しかも、磁石ＭＡ１，ＭＡ２，ＭＢ１，ＭＢ２が男性器の肌に直接に接触しておらず、素材自体が柔らかで且つ何時でも洗浄によって良好な衛生状態を保ち易いために高い衛生度を保有するシリコーンの一端部ＳＴ１，ＳＴ２の表面が直接に男性器の肌に触れているにすぎないので、男性器の肌に対して衛生的・構造的に優しい包茎矯正器具１００を容易且つ確実に実現し得る。そのため、包茎矯正器具１００の装着性は格段に向上される。シリコーン表面の軟らかさと、そのしなやかな柔軟性とによって、装着者は、通常の日常生活時に於いては、その装着状態を感じずに忘れてしまう程度の感覚を、包茎矯正器具１００は装着者に対して違和感無く与える。しかも、包茎矯正器具１００の男性器への装着時には、第１本体部１及び第２本体部２の表面ＡＳの男性器側乃至は内面側は、所定の収縮範囲内では、柔軟に、縦断面形状が略円形状になる様に湾曲して変形し得る。従って、勃起等により男性器が伸縮しても、上記の第１及び第２本体部１，２の所定の収縮範囲内では、包茎矯正器具１００は当該伸縮に追従することが出来る。他方で、上記の追従可能な収縮範囲を超えて男性器が勃起により伸長した場合には、包茎矯正器具１００は、装着者に痛みを感じさせることなく、自然に且つ即座に男性器から外れることになり、装着状態が自然解放状態となる。この点も、包茎矯正器具１００が有する特徴点である。この点で、従来品に於いては、男性器の勃起時に痛みを装着者に感じさせることがあり、或いは、男性器の少しの伸縮によって包茎矯正器具が外れて落下してしまうことがあった。その点では、利用者は、安心して包茎矯正器具１００を使用することが出来る。
【００３９】
加えて、包茎矯正器具１００に於いては、磁石ＭＡ１，ＭＡ２を介して半球面状の一端部ＳＴ１，ＳＴ２が結合しているので、装着者の動きに伴う男性器の動きに起因して、一端部ＳＴ１，ＳＴ２同士がその接触状態に於いて四方八方に微妙にずれても、磁石の磁力の作用の範囲内にある場合には、一端部ＳＴ１，ＳＴ２同士はずれあっても外れてしまうことも無い。その意味でも、包茎矯正器具１００の装着性（違和感無し。）及び装着の確実性（不落下状態の維持。）は、向上されている。
【００４０】
加えて、図４に示される包茎矯正器具１００の装着状態に於いては、Ｖ字ジョイントとしての結合体部３の存在により、装着状態にある包茎矯正器具１００の最下方部に、隙間状の空間ＳＰが生じる。従って、この空間ＳＰを介して、包茎矯正器具１００の両本体部１，２の表面ＡＳの内面側部から男性器に対して加わる圧力は、下方へと逃がされることとなる。その結果、包茎矯正器具１００の装着状態に於いて、男性器の尿道に対する圧迫力の発生が防止される。しかも、既述の通り、結合体部３の各部３Ａ，３Ｂの表面はシリコーンでコーティングされているので、シリコーン同士間の強度の摩擦力の発生によって結合体部３と本体部１，２とが強力に結合されているため、包茎矯正器具１００の装着状態に於いて、結合体部３が外れて落下してしまうことはない。
【００４１】
加えて、図２の記載に於いて既述した通り、各第１及び第２切片部Ｐ１，Ｐ２が多種の色に彩色されている場合には、着色された各第１及び第２切片部Ｐ１，Ｐ２が透けて見えるので、装着状態にある包茎矯正器具１００の見た目の良さが技術的に向上されて、そのファッション性が格段に高められる。換言すれば、装着状態にある包茎矯正器具１００は、ファッション性のある分野の器具として、視認されることになる。
【００４２】
図４に示される包茎矯正器具１００の装着状態は、通常の日常生活における状態に於いて包茎矯正器具１００が使用される場合に該当する。例えば、その様な状態としては、椅子に座って事務作業を行っている場合の男性器のサイズに合わせて長さ調整が既述の方法によって行われている場合が、挙げられる。或いは、身体を屈ませた状態での男性器のサイズに応じて長さ調整が行われている包茎矯正器具１００を使用する場合も、その一例として挙げられる。この様な日常生活の場合での包茎矯正器具１００の使用に於いては、男性器の伸縮程度は朝立ちの場合のそれと比較しても大きくはないので、包茎矯正器具１００の両本体部１，２の表面ＡＳの内面部の既述した湾曲動作・柔軟性によって、包茎矯正器具１００が緩んで外れて落下してしまう状態は防止される。
【００４３】
以上より、本実施の形態に係る包茎矯正器具１００の実現化により、包茎矯正器具の着脱容易性、装着性の向上、装着時の脱落防止、男性器の伸縮対応化、及び、ファッション性の具備化を図かることが十分に可能となる。
【００４４】
（変形例１）
図２に於いて、各本体部１，２の隣り合う切片部Ｐ１，Ｐ２間に、血行促進用の磁石を挿入・配設しても良い。或いは、血行促進の観点を重視して切片部Ｐ１，Ｐ２を配設せずに、各本体部１，２の中空構造部の全ての部分に亘って、複数の磁石を挿入・配設することとしても良い。
【００４５】
（変形例２）
図５は、実施の形態１に係る包茎矯正器具１００の構成の変形例を示す正面図であり、その変形例の要部のみを拡大化して示す図である。便宜上、後述する金属体４はハッチング表示されている。
【００４６】
図５に例示される様に、第１磁石ＭＡ１及び第２磁石ＭＡ２の間に、円柱状の短い金属体（「常磁性体部」に該当。本例では、その表面は例えば光沢状にコーティングされている。）４が挿入されている。換言すれば、円柱状の金属体５を介して、第１磁石ＭＡ１及び第２磁石ＭＡ２は、磁気により、間接的に結合されている。
【００４７】
図５の構成を具備する包茎矯正器具１００Ａは、包茎矯正器具としての「長さ微調整機能」又は「ファッション性向上化」を既述の包茎矯正器具１００よりも一層発揮させるための変形例に該当する。即ち、金属体４は、長さの微調整用、若しくは、ファッション性の向上用としての構成要素であり、外気又は環境に応じた男性器の膨張等に対する対応を臨機応変とし得る。
【００４８】
（変形例３）
図６は、実施の形態１に係る包茎矯正器具１００の構成の他の変形例を示す正面図であり、その変形例の要部のみを拡大化して示す図である。便宜上、後述する永久磁石（単に「磁石」という。）５は、ハッチング表示されている。
【００４９】
図６に例示される様に、第１磁石ＭＡ１及び第２磁石ＭＡ２の間に、球状の磁石（本例では、その表面は例えば光沢状にコーティングされている。）５が挿入されている。換言すれば、球形状の磁石５を介して、第１磁石ＭＡ１及び第２磁石ＭＡ２は、磁気により、間接的に結合されている。
【００５０】
図６の構成を具備する包茎矯正器具１００Ｂもまた、変形例２の場合と同様に、包茎矯正器具としての「長さ微調整機能」又は「ファッション性向上化」を既述の包茎矯正器具１００よりも一層発揮させるための変形例に該当する。
例えば、スポーツを行っている際に装着可能なタイプの包茎矯正器具として利用可能である。この場合、水泳等のスポーツを行っている場合には、運動中、男性器は縮まっているので、そのサイズに対応して、包茎矯正器具１００Ｂの長さ調整を予め行っておく。そうすると、運動中に、包茎矯正器具１００Ｂは外れることはなく、確実に男性器に装着されており、包茎矯正器具として機能している。使用者は、その運動を終わって、図４の通常時のタイプの包茎矯正器具１００に交換するまでの間用として、又は、運動終了以降にそのまま装着を継続して使用するためのものとして、当該運動終了後に、磁石５を挿入しておく。この磁石５の介在により、包茎矯正器具１００Ｂは、当該運動終了後に於いても、変形例２に於いて既述した作用・利点を奏し得る包茎矯正器具として機能し得る。
【００５１】
尚、磁石５の形状は、任意である。又、磁石５に代えて、図５に例示される様な常磁性体を介在させても良い。
【００５２】
（変形例４）
図２又は図４に例示される第１磁石を金属等の第１常磁性体に置換し、第２磁石を金属等の第２常磁性体に置換した上で、上記の第１常磁性体及び第２常磁性体を、包茎矯正器具の第１本体部及び第２本体部の第１の一端部と第２の一端部との間に介在される磁石を介して、結合することとしても良い。
【００５３】
（変形例５）
本発明に係る包茎矯正器具は、第１本体部１と第２本体部２との接続機能を呈する部材として磁石を使用している。従って、重度の仮性包茎の人が、より高い矯正効果を望んで、２連・３連・・・の状態で繋がり合った磁石の使用をすることが有り得る。この場合に於いても、磁力接続の効果によって、それぞれの磁石がズレたりすることは無く、或いは、磁石の各間隔が広がったりすることは無く、重連状態の磁石を有効活用することが出来る
【００５４】
（変形例６）
第１及び第２本体部１，２は透明色の色彩を有すると共に、各切片部Ｐ１，Ｐ２もまた、透明色を有することとしても良い。この場合にも、視覚的なファッション性を包茎矯正器具に備えさせることは可能である。
【００５５】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００５６】
本発明は、男性の性器の仮性包茎を矯正するために利用する場合に好適な機能を奏する包茎矯正器具の分野に属するものである。
【符号の説明】
【００５７】
１  第１本体部
２  第２本体部
３  結合体部
１００  包茎矯正器具
ＭＡ１，ＭＢ１  第１磁石
ＭＡ２，ＭＢ２  第２磁石
Ｐ１  第１切片部
Ｐ２  第２切片部
【要約】
【課題】包茎矯正器具の着脱容易性、装着性の向上、装着時の脱落防止、男性器の伸縮対応化、及び、ファッション性の具備化を図る。
【解決手段】シリコーンの第１本体部１の一端部ＳＴ１の底面部ＳＴＢ１には、ネオジウムの第１磁石ＭＡ１が配設されている。第１本体部１の開口部側部の中空構造部内には、複数のシリコーンの第１切片部Ｐ１が間隔をおいて配設されており、第１本体部１の折れ曲がりを防止して柔軟性を実現させている。第２本体部２も第１本体部１と同等な構成を有する。当該器具の着用時には、両磁石ＭＡ１，ＭＡ２の磁力を利用して両一端部ＳＴ１，ＳＴ２を接近させるだけで両本体部１，２が面接触で結合し、包茎矯正器具が装着される。当該器具を離脱させる場合には、両一端部ＳＴ１，ＳＴ２を引っ張って引き離せば良い。例えば、両本体部１，２は透明色の色彩を有し、切片部Ｐ１，Ｐ２は不透明な色を有する。
【選択図】図４【図１】
0005406999.tif 000002
【図２】
0005406999.tif 000003
【図３】
0005406999.tif 000004
【図４】
0005406999.tif 000005
【図５】
0005406999.tif 000006
【図６】
0005406999.tif 000007